(57)【特許請求の範囲】
【請求項１】
水を高圧で噴射するウォータージェットガンであって、
水を高圧で供給する供給装置に接続された本体と、
当該本体に取り付けられた外側配管と、
当該外側配管の内部に回転可能に設けられて前記供給装置に接続された可撓性を有する内側配管と、
当該内側配管の先端に固定されたノズルと、
前記内側配管の基端側を回転させる回転駆動装置と、を備えることを特徴とするウォータージェットガン。
【請求項２】
前記ノズルの先端面には、回転軸に対して前方に向かって所定角度を成す噴射口が設けられていることを特徴とする請求項１に記載のウォータージェットガン。
【請求項３】
前記外側配管は、曲がり配管であることを特徴とする請求項１または２に記載のウォータージェットガン。
【請求項４】
建物の内部に付着したアスベスト含有材の除去に用いられることを特徴とする請求項１から３のいずれかに記載のウォータージェットガン。
【発明の詳細な説明】
【技術分野】
【０００１】
本発明は、水を高圧で噴射してアスベスト含有材を除去するウォータージェットガンに関する。
【背景技術】
【０００２】
従来より、建物を構成するカーテンウォールや梁などの構成部材に、アスベスト含有材が吹き付けられて付着している場合がある。このような建物を解体や改修する際、構成部材に吹き付けられたアスベスト含有材を除去する必要がある。
例えば、スクレイパーなどの工具を用いて、作業員が手作業でアスベスト含有材を剥ぎ取ることが考えられる。しかしながら、例えば金属カーテンウォールの裏面に吹き付けられたアスベスト含有材を除去する場合、金属カーテンウォールと外周柱との隙間が狭隘なため、この隙間に作業員が入り込むことができず、手作業でアスベスト含有材を除去できないことがある。
この問題を解決するため、建物の躯体の解体時に、建物の外側に外部足場を架設し、この外部足場で建物の解体対象となる部分を覆って養生空間を形成し、養生空間内でアスベスト含有材を金属カーテンウォールごと撤去する方法が考えられる。しかし、この場合、外部足場を含めて大きな養生空間を形成するため、解体コストが増大するうえに、工期が長期化するという問題があった。
【０００３】
一方、建物の構成部材に付着したアスベスト含有材にノズルから高圧で水を噴射して、アスベスト含有材を除去する方法が提案されている（特許文献１〜３参照）。
しかしながら、これら特許文献１〜３に示された方法では、狭隘な空間において建物の構成部材に付着したアスベスト含有材を除去しようとしても、ノズルがアスベスト含有材まで届かない場合があった。
【先行技術文献】
【特許文献】
【０００４】
【特許文献１】特開２０１０−２２２７８６号公報
【特許文献２】特開２０１１−１２５８０５号公報
【特許文献３】特開２０１６−５６５２１号公報
【発明の概要】
【発明が解決しようとする課題】
【０００５】
本発明は、狭隘な空間において、建物の構成部材に付着した除去対象物を迅速かつ確実に除去できる、ウォータージェットガンを提供することを課題とする。
【課題を解決するための手段】
【０００６】
本発明者らは、アスベスト含有材などの除去対象物を除去する方法として、ウォータージェットガンに、外側配管と可撓性を有する内側配管とを設けて、内側配管の先端にノズルを固定し、内側配管に高圧で水を供給しつつ、内側配管の基端側を回転駆動装置で回転させることで、ノズルから水を高圧で噴射し、除去対象物を剥ぎ取ることができる点に着眼して、本発明に至った。
第１の発明のウォータージェットガン（例えば、後述のウォータージェットガン３）は、水を高圧で噴射するウォータージェットガンであって、水を高圧で供給する供給装置（例えば、後述の供給装置２）に接続された本体（例えば、後述のロータリーユニット１０）と、当該本体に取り付けられた外側配管（例えば、後述の外側配管２０）と、当該外側配管の内部に回転可能に設けられて前記供給装置に接続された可撓性を有する内側配管（例えば、後述の内側配管３０）と、当該内側配管の先端に固定されたノズル（例えば、後述のノズル４０）と、前記内側配管の基端側を回転させる回転駆動装置（例えば、後述のエアモータ５０）と、を備えることを特徴とする。
【０００７】
この発明によれば、ウォータージェットガンに外側配管および内側配管を設け、内側配管の先端にノズルを固定した。よって、内側配管に高圧で水を供給しつつ、この内側配管を回転駆動装置で回転させることで、ノズルを回転させて、このノズルから水を高圧で噴射できる。これにより、カーテンウォールと外周柱との隙間といった非常に狭隘な空間に曲がり配管およびノズルを通して、アスベスト含有材などの除去対象物に容易に到達できる。
また、ノズルを回転駆動装置で回転させたので、水圧により自転するタイプのノズルに比べて、簡易な構造で外径が小さいノズルを用いることができ、ノズルをより狭隘な空間に通すことができる。
【０００８】
第２の発明のウォータージェットガンは、前記ノズルの先端面には、回転軸に対して前方に向かって所定角度を成す噴射口（例えば、後述の噴射口４１）が設けられていることを特徴とする。
【０００９】
この発明によれば、噴射口が回転軸に対して前方に向かって所定角度を成しているので、除去対象にノズルを対向配置して回転させると、ノズルから除去対象に対して水が円状に噴射されることとなり、ある程度の噴射領域が確保されるから、除去対象物を迅速かつ確実に除去できる。
【００１０】
第３の発明のウォータージェットガンは、前記外側配管は、曲がり配管であることを特徴とする。
【００１１】
この発明によれば、外側配管を曲がり配管としたので、建物内の狭隘な空間が屈曲していたり曲がりくねっていたりして複雑な形状であっても、この空間に曲がり配管を通して、ノズルが除去対象物の近傍に容易に到達するから、除去対象物を確実に除去できる。
このとき、内側配管が可撓性を有するので、曲がっている外側配管内で内側配管を回転させても、この内側配管がフレキシブルに変形し、外側配管の形状に追従しつつ円滑に回転する。
【００１２】
第４の発明のウォータージェットガンは、建物の内部に付着したアスベスト含有材の除去に用いられることを特徴とする。
【００１３】
この発明によれば、ウォータージェットガンにより建物内部に付着したアスベスト含有材を迅速かつ確実に除去できる。
【発明の効果】
【００１４】
本発明によれば、狭隘な空間において、建物の構成部材に付着した除去対象物を迅速かつ確実に除去できる、ウォータージェットガンを提供できる。
【図面の簡単な説明】
【００１５】
【図１】本発明の一実施形態に係るウォータージェットガンが用いられたアスベスト除去システムの構成を示す模式図である。
【図２】図１のウォータージェットガンの側面図である。
【図３】図１のウォータージェットガンの曲がり配管の側面図（その１）である。
【図４】図１のウォータージェットガンの曲がり配管の側面図（その２）である。
【図５】図１のウォータージェットガンの曲がり配管の側面図（その３）である。
【図６】図１のウォータージェットガンを用いたアスベスト除去方法のフローチャートである。
【発明を実施するための形態】
【００１６】
本発明は、ウォータージェットガンである。ウォータージェットガンには、外側配管と可撓性を有する内側配管とが設けられ、この内側配管の先端にはノズルが固定され、内側配管の基端側には回転駆動装置が接続されている。
以下、本発明の一実施形態について、図面を参照しながら説明する。
図１は、本発明の一実施形態に係るウォータージェットガン３が適用されたアスベスト除去システム１の構成を示す模式図である。図２は、ウォータージェットガン３の側面図である。
アスベスト除去システム１は、水を高圧で噴射してアスベスト含有材を除去するものである。このアスベスト除去システム１は、水を高圧（例えば、１００ＭＰa〜２００ＭＰa）で供給する供給装置２と、供給装置２から供給された水を噴射するウォータージェットガン３と、を備える。
【００１７】
ウォータージェットガン３は、供給装置２の高圧ホース４に接続された本体としてのロータリーユニット１０と、ロータリーユニット１０に取り付けられた外側配管２０と、外側配管２０の内部に回転可能に設けられて供給装置２に接続された内側配管３０と、内側配管３０の先端に固定されたノズル４０と、内側配管３０の基端側を回転させる回転駆動装置としてのエアモータ５０と、を備える。
ロータリーユニット１０は、供給装置２の高圧ホース４が接続される吸込管１１と、この吸込管１１に接続された吐出管１２と、を備える。この吐出管１２は、中心軸で回転自在となっている。
【００１８】
エアモータ５０は、ロータリーユニット１０に取り付けられている。このエアモータ５０には、エアホース５１を介してハンドバルブ５２およびエアコンプレッサ５３が接続されている。エアモータ５０は、エアコンプレッサ５３から圧縮空気を供給することで、吐出管１２を回転駆動するものである。
【００１９】
外側配管２０は、ステンレス製であり、例えば３種類の曲がり配管２０Ａ、２０Ｂ、２０Ｃから適宜選択して装着可能である。曲がり配管２０Ａ、２０Ｂは、クランク形状となっており、曲がり配管２０Ｃは、湾曲した形状である（図３〜図５参照）。
内側配管３０は、ロータリーユニット１０の吐出管１２に接続されている。この内側配管３０は、可撓性を有するフレキシブルな高圧ホースであり、ホースガイド３１により外側配管２０に回転可能に保持されて、外側配管２０の内面にほとんど接触しないようになっている。
【００２０】
ノズル４０は、内側配管３０に固定され、例えば外径が２６ｍｍ程度で、小さくなっている。このノズル４０の先端面には、回転軸Ｓに対して前方に向かって所定角度θ（例えば、８．７°、４。３°）で噴射口４１が一つ配設されている。なお、本実施形態では、噴射口４１を一つ設けたが、これに限らず、複数設けてもよい。
この噴射口４１の内径は、例えば、０．３５ｍｍである。このように噴射口の内径を小さくすることで、噴射圧を保ったまま、使用水量を低減でき、噴射した水の回収が容易となる。
【００２１】
ノズル４０の動作は、以下のようになる。
エアモータ５０を駆動することで、吐出管１２、内側配管３０、およびノズル４０が回転する。この状態で、供給装置２により高圧（例えば、１７０ＭＰa）で水を供給すると、このノズル４０は、回転しながら噴射口４１から水を噴射する。このとき、噴射口４１が回転軸Ｓに対して所定角度θで配置されているため、水が除去対象に対して円状に面で噴射される。また、このときの使用水量は、低水量（例えば、３Ｌ／ｍｉｎ程度）となる。
【００２２】
以上のアスベスト除去システム１を用いて、建物内の狭隘な空間６０に付着した除去対象物としてのアスベスト含有材を除去する手順について、図６のフローチャートを参照しながら説明する。
図３〜図５に示すように、建物内の狭隘な空間６０として、カーテンウォール７０および鉛直部材８０と外周柱９０との間の空間を想定する。カーテンウォール７０の水平方向両端には、折り曲げ形成された入隅部７１が形成されており、この入隅部７１の内側にも、アスベスト含有材が付着している。また、鉛直部材８０は、リップ溝形鋼であり、この鉛直部材８０の内側にもアスベスト含有材が付着している。
【００２３】
ステップＳ１では、曲がり配管２０Ａ〜２０Ｃから適宜選択してウォータージェットガン３に装着しておき、次に、外周柱９０の両脇の隙間から、狭隘な空間６０に曲がり配管２０Ａ〜２０Ｃを差し込んで、カーテンウォール７０の入隅部７１の内部や鉛直部材８０の内部のアスベスト含有材の近傍に、ノズル４０を配置する。
ステップＳ２では、供給装置２およびエアモータ５０を駆動して、ノズル４０から水を高圧で噴射し、カーテンウォール７０や鉛直部材８０からアスベスト含有材を剥ぎ取る。
ステップＳ３では、剥ぎ取ったアスベスト含有材およびノズル４０から噴射した水を、バキューム装置などで回収する。具体的には、アスベスト含有材およびノズル４０から噴射した水を、アスベスト含有材の下方に設置した受け皿（例えば、養生シートや仮設材）で一旦受け止める。このとき、ノズル４０から噴射した水は低水量（３Ｌ／ｍｉｎ）であるため、ほとんどの水はアスベスト含有材に吸着されるが、水が残った場合には、吸水マットやウエスに吸収させて回収する。
【００２４】
本実施形態によれば、以下のような効果がある。
（１）ウォータージェットガン３に外側配管２０および内側配管３０を設け、内側配管３０の先端にノズル４０を固定した。よって、内側配管３０に高圧で水を供給しつつ、この内側配管３０をエアモータ５０で回転させることで、ノズル４０を回転させて、このノズル４０から水を高圧で噴射できる。これにより、カーテンウォール７０と外周柱９０との隙間といった非常に狭隘な空間６０に曲がり配管２０Ａ〜２０Ｃおよび小型のノズル４０を通して、アスベスト含有材に容易に到達できる。
また、ノズル４０自体をエアモータ５０で回転させたので、水圧により自転するタイプのノズルに比べて、簡易な構造で外径が小さいノズル４０を用いることができ、ノズル４０をより狭隘な空間に通すことができる。
【００２５】
（２）噴射口４１が回転軸Ｓに対して前方に向かって所定角度θを成しているので、除去対象であるアスベスト含有材にノズル４０を対向配置して回転させると、ノズル４０からアスベスト含有材に対して水が円状に噴射されることとなり、ある程度の噴射領域が確保されるから、アスベスト含有材を迅速かつ確実に除去できる。
【００２６】
（３）外側配管２０を曲がり配管２０Ａ〜２０Ｃとしたので、建物内の狭隘な空間６０複雑な形状であっても、この狭隘な空間６０に曲がり配管２０Ａ〜２０Ｃを通して、ノズル４０がアスベスト含有材に容易に到達するから、アスベスト含有材を確実に除去できる。
このとき、内側配管３０が可撓性を有するので、曲がっている外側配管２０内で内側配管３０を回転させても、この内側配管３０がフレキシブルに変形し、外側配管２０の形状に追従しつつ円滑に回転する。
【００２７】
（４）解体や改修の対象となる建物のカーテンウォール７０や鉛直部材８０にアスベスト含有材が付着している場合、アスベスト含有材をカーテンウォール７０や鉛直部材８０ごと建物から取り外さなくても、このカーテンウォール７０や鉛直部材８０から、直接、アスベスト含有材のみを剥ぎ取ることができるため、アスベスト含有材を短期間かつ低コストで除去できる。
【００２８】
なお、本発明は前記実施形態に限定されるものではなく、本発明の目的を達成できる範囲での変形、改良等は本発明に含まれるものである。
【符号の説明】
【００２９】
１…アスベスト除去システム  ２…供給装置  ３…ウォータージェットガン
４…高圧ホース
１０…ロータリーユニット（本体）  １１…吸込管  １２…吐出管
２０…外側配管  ２０Ａ、２０Ｂ、２０Ｃ…曲がり配管
３０…内側配管  ３１…ホースガイド
４０…ノズル  ４１…噴射口
５０…エアモータ（回転駆動装置）  ５１…エアホース  ５２…ハンドバルブ
５３…エアコンプレッサ
６０…狭隘な空間  ７０…カーテンウォール  ７１…入隅部
８０…鉛直部材  ９０…外周柱
【図１】
0006944975.tif 000002
【図２】
0006944975.tif 000003
【図３】
0006944975.tif 000004
【図４】
0006944975.tif 000005
【図５】
0006944975.tif 000006
【図６】
0006944975.tif 000007